(57)【要約】【課題】専用の室内温度検知器を使用することなく、風の到達点での室内空気の温度が得られる空気調和機を提供する。【解決手段】マイクロコンピュータ１と、運転周波数可変の圧縮機２と、運転回転数可変の室内送風機３と、室内熱交換器（図示せず）の温度を検知する室内熱交換器温度検知部５を備え、前記室内熱交換器温度検知部５で検知された温度と、前記室内送風機３の回転数に基づき風の到達点での空気温度を類推するもので、空気調和機の能力により使用される部屋の広さを予め想定しており、その想定した広さの部屋の隅まで風が到達したときの空気温度を室内送風機３の回転数および室内熱交換器の温度との関係より得られるので、専用の室内温度検出器が不要となり、安価な空気調和機を提供することができる。【選択図】図１ 
2005201585.tif 000002
【特許請求の範囲】
【請求項１】
マイクロコンピュータと、運転周波数可変の圧縮機と、運転回転数可変の室内送風機と、室内熱交換器の温度を検知する室内熱交換器温度検知部を備え、前記室内熱交換器温度検知部で検知された温度と、前記室内送風機の回転数に基づき、風の到達点での空気温度を類推することを特徴とする空気調和機。
【請求項２】
マイクロコンピュータは、圧縮機駆動周波数を決定する圧縮機周波数決定手段と、室内送風機回転数を決定する室内送風回転数決定手段を有すると共に、予めプログラミングデータとして設定してあるデータ表と、前記室内熱交換器温度検知部からの室内熱交換器温度データと、前記圧縮機周波数決定手段からの圧縮機駆動周波数指示データと、前記室内送風回転数決定手段からの室内送風機回転数指示データとを対比し、その結果に基づき風の到達点での空気温度を類推することを特徴とする請求項１記載の空気調和機。
【請求項３】
室内空気温度を検出する室内空気温度検知部を備え、マイクロコンピュータは、圧縮機駆動周波数を決定する圧縮機周波数決定手段と、室内送風機回転数を決定する室内送風回転数決定手段を有するとともに、予めプログラミングデータとして設定してあるデータ表と、前記室内空気温度検知部で検知された室内温度と、室内熱交換器温度検知部からの室内熱交換器温度データと、前記圧縮機周波数決定手段からの圧縮機周波数指示データと、前記室内送風回転数決定手段からの室内送風機回転数指示データとを対比し、室内の必要能力と風の到達点での空気温度を類推することを特徴とする請求項１記載の空気調和機。
【請求項４】
室内上下羽根駆動部を備え、マイクロコンピュータは、圧縮機駆動周波数を決定する圧縮機周波数決定手段と、室内送風機回転数を決定する室内送風回転数決定手段と、室内上下羽根角度決定手段を有すると共に、予めプログラミングデータとして設定してあるデータ表と、室内熱交換機温度検知部からの室内熱交換機温度データと、前記圧縮機周波数決定手段からの圧縮機駆動周波数指示データと、前記室内送風回転数決定手段からの室内送風機回転数指示データと、前記室内上下羽根角度決定手段からの室内上下羽根角度データとを対比し、風の到達点での空気温度を類推することを特徴とする請求項１記載の空気調和機。
【請求項５】
室内上下羽根駆動部と、室内左右羽根駆動部とを備え、マイクロコンピュータは、圧縮機駆動周波数を決定する圧縮機周波数決定手段と、室内送風機回転数を決定する室内送風回転数決定手段と、室内上下羽根角度決定手段と、室内左右羽根角度決定手段を有すると共に、予めプログラミングデータとして設定してあるデータ表と、室内熱交換機温度検知部からの室内熱交換機温度データと、前記圧縮機周波数決定手段からの圧縮機駆動周波数指示データと、前記室内送風回転数決定手段からの室内送風機回転数指示データと、前記室内上下羽根角度決定手段からの室内上下羽根角度データと、前記室内左右羽根角度決定手段からの室内左右羽根角度データとを対比し、風の到達点での空気温度を類推することを特徴とする請求項１記載の空気調和機。
【請求項６】
マイクロコンピュータは、類推された室内の必要能力と、風の到達点での空気温度と、予めプログラミングデータとして設定してあるデータ表とを比較するデータ比較部を持ち、その比較結果によって圧縮機運転周波数と、室内送風機回転数を変化させることを特徴とする請求項２〜５のいずれか１項記載の空気調和機。
【請求項７】
マイクロコンピュータは、類推された風の到達点での空気温度と、予めプログラミングデータとして設定してあるデータ表を比較するデータ比較部を持ち、その比較結果によって圧縮機運転周波数と、室内送風機回転数を変化させることを特徴とする請求項２〜５のいずれか１項記載の空気調和機。
【発明の詳細な説明】
【技術分野】
【０００１】
本発明は、空気調和機に関するもので、特に室内空気の温度の制御に関するものである。
【背景技術】
【０００２】
従来の空気調和機について、図４を用いて説明する。
【０００３】
図において、マイクロコンピュータ１と、運転周波数可変の圧縮機２と、圧縮機２を駆動する圧縮機駆動部１０と、運転回転数可変の室内送風機３と、室内送風機３を駆動する室内送風機駆動部１１と、室内熱交換器（図示せず）の温度を検出してその値を前記マイクロコンピュータ１に送出する室内熱交換器温度検知部５と、室内の温度分布を検知する室内温度分布検知部４を備えている。
【０００４】
前記マイクロコンピュータ１は、圧縮機駆動周波数を決定する圧縮機周波数決定手段６と、室内送風機３の回転数を決定する室内送風回転数決定手段７を持ち、前記マイクロコンピュータ１において、予めプログラミングデータとして設定してあるデータ表９と、室内熱交換器温度検知部５からのデータと、室内温度分布検知部４からのデータとをデータ比較部１３で比較し、その結果に基づき演算部１９で演算処理し、最適な圧縮機駆動周波数、室内送風機３の回転数を決定し、風の到達点での室内空気の温度を快適に制御するようにしている。
【０００５】
２１は、使用者が空気調和機を運転する時に操作するリモートコントローラ２０からの操作信号を受信する赤外線受信部である（例えば、特許文献１参照）
【特許文献１】特開平１１−８３１１３号公報
【発明の開示】
【発明が解決しようとする課題】
【０００６】
しかしながら、上記従来の構成では、室内空気の温度を検知するための室内温度分布検知部４を専用に備えることが前提となっており、制御系が複雑かつ、高価になってしまうという課題を有していた。
【０００７】
本発明は、このような従来の課題を解決するもので、専用の室内温度分布検知部を要さずとも、風の到達点での室内空気温度を類推し、ねらいの空調を創出する空気調和機を提供することを目的とする。
【課題を解決するための手段】
【０００８】
上記従来の課題を解決するために、本発明の空気調和機は、マイクロコンピュータと、運転周波数可変の圧縮機と、運転回転数可変の室内送風機と、室内熱交換器の温度を検知する室内熱交換器温度検知部を備え、前記室内熱交換器温度検知部で検知された温度と、前記室内送風機の回転数に基づき、風の到達点での空気温度を類推するもので、空気調和機の能力により使用される部屋の広さを予め想定しており、その想定した広さの部屋の隅まで風が到達したときの空気温度が室内送風機の回転数および室内熱交換器の温度との関係より得られるので、専用の室内温度検出器が不要となり、安価な空気調和機を提供することができる。
【発明の効果】
【０００９】
本発明の空気調和機は、風の到達点での室内空気温度を事前にプログラムしたデータと
各種検知部からのデータと比較し推論することによって、室内空気の温度を直接温度検出器で検出する必要が無く、安価な装置で風の到達点での室内空気温度を検知可能とするものである。
【発明を実施するための最良の形態】
【００１０】
第１の発明は、マイクロコンピュータと、運転周波数可変の圧縮機と、運転回転数可変の室内送風機と、室内熱交換器の温度を検知する室内熱交換器温度検知部を備え、前記室内熱交換器温度検知部で検知された温度と、前記室内送風機の回転数に基づき、風の到達点での空気温度を類推するもので、空気調和機の能力により使用される部屋の広さを予め想定しており、その想定した広さの部屋の隅まで風が到達したときの空気温度が室内送風機の回転数および室内熱交換器の温度との関係より得られるので、専用の室内温度検出器が不要となり、安価な空気調和機を提供することができる。
【００１１】
第２の発明は、特に、第１の発明のマイクロコンピュータは、圧縮機駆動周波数を決定する圧縮機周波数決定手段と、室内送風機回転数を決定する室内送風回転数決定手段を有すると共に、予めプログラミングデータとして設定してあるデータ表と、前記室内熱交換器温度検知部からの室内熱交換器温度データと、前記圧縮機周波数決定手段からの圧縮機駆動周波数指示データと、前記室内送風回転数決定手段からの室内送風機回転数指示データとを対比し、その結果に基づき風の到達点での空気温度を類推するもので、データ表と室内熱交換器温度、実際の出力および検知データとを比較することにより風が到達した点の空気温が得られるので、専用の室内温度検出器が不要となり、安価な空気調和機を提供することができる。
【００１２】
第３の発明は、特に、第１の発明の室内空気温度を検出する室内空気温度検知部を備え、マイクロコンピュータは、圧縮機駆動周波数を決定する圧縮機周波数決定手段と、室内送風機回転数を決定する室内送風回転数決定手段を有するとともに、予めプログラミングデータとして設定してあるデータ表と、前記室内空気温度検知部で検知された室内温度と、室内熱交換器温度検知部からの室内熱交換器温度データと、前記圧縮機周波数決定手段からの圧縮機周波数指示データと、前記室内送風回転数決定手段からの室内送風機回転数指示データとを対比し、室内の必要能力と風の到達点での空気温度を類推するもので、実際の室内空気温度を加える事により、必要能力と、風が到達した点の空気温度を得ることができるものである。
【００１３】
第４の発明は、特に、第１の発明の空気調和機は、室内上下羽根駆動部を備え、マイクロコンピュータは、圧縮機駆動周波数を決定する圧縮機周波数決定手段と、室内送風機回転数を決定する室内送風回転数決定手段と、室内上下羽根角度決定手段を有すると共に、予めプログラミングデータとして設定してあるデータ表と、室内熱交換機温度検知部からの室内熱交換機温度データと、前記圧縮機周波数決定手段からの圧縮機駆動周波数指示データと、前記室内送風回転数決定手段からの室内送風機回転数指示データと、前記室内上下羽根角度決定手段からの室内上下羽根角度データとを対比し、風の到達点での空気温度を類推するもので、室内上下羽根の角度データを加える事により部屋の床面に達する距離を略計算し、精度良く風が到達する点の空気温度を得ることができる。
【００１４】
第５の発明は、特に、第１の発明の空気調和機は、室内上下羽根駆動部と、室内左右羽根駆動部とを備え、マイクロコンピュータは、圧縮機駆動周波数を決定する圧縮機周波数決定手段と、室内送風機回転数を決定する室内送風回転数決定手段と、室内上下羽根角度決定手段と、室内左右羽根角度決定手段を有すると共に、予めプログラミングデータとして設定してあるデータ表と、室内熱交換機温度検知部からの室内熱交換機温度データと、前記圧縮機周波数決定手段からの圧縮機駆動周波数指示データと、前記室内送風回転数決定手段からの室内送風機回転数指示データと、前記室内上下羽根角度決定手段からの室内
上下羽根角度データと、前記室内左右羽根角度決定手段からの室内左右羽根角度データとを対比し、風の到達点での空気温度を類推することを特徴とするもので、室内上下羽根と室内左右羽根のそれぞれの角度データを加える事により部屋の床面に達する距離を略計算し、精度良く風が到達した点の空気温度を得ることができる。
【００１５】
第６の発明は、特に、第２〜５のいずれか１つの発明のマイクロコンピュータは、類推された室内の必要能力と、風の到達点での空気温度と、予めプログラミングデータとして設定してあるデータ表とを比較するデータ比較部を持ち、その比較結果によって圧縮機運転周波数と、室内送風機回転数を変化させるもので、使用者の設定温度と吸い込み温度（室内空気温度）との差より必要能力が算出され、室内熱交換器温度、室内送風機回転数より能力および風が到達した点の空気温度が算出されるので、必要能力を確保しつつ、風が到達した点の空気温度が冷風感を伴わない温度になるように室内送風機回転数、および室内熱交換器温度を決定し、その温度になるように圧縮機回転数を制御することにより快適性をより向上させる事ができる。
【００１６】
第７の発明は、特に、第２〜５のいずれか１つの発明のマイクロコンピュータは、類推された風の到達点での空気温度と、予めプログラミングデータとして設定してあるデータ表を比較するデータ比較部を持ち、その比較結果によって圧縮機運転周波数と、室内送風機回転数を変化させるもので、風が到達した点の類推された空気温度より、風が到達した点の空気温度が冷風感を伴わない温度になるように室内送風機回転数、および室内熱交換器温度を決定し、その温度になるように、圧縮機回転数を制御することにより快適性を大幅に向上させる事ができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の回路構成を示すブロック図である。なお、従来例と同一部分については同一符号を付してその説明を省略する。
【００１９】
マイクロコンピュータ１と、運転周波数可変の圧縮機２と、運転回転数可変の室内送風機３を備え、室内熱交換器（図示せず）の温度を検出してその値を前記マイクロコンピュータ１に送出する室内熱交換器温度検知部５が備えられ、前記マイクロコンピュータ１は、圧縮機周波数決定手段６と、室内送風回転数決定手段７を持ち、予めプログラミングデータとして設定してあるデータ表９と、前記圧縮機駆動周波数指示データ２３と、室内送風機回転数指示データ２４と、室内熱交換器温度データ１２とを対比し、風の到達点での温度を類推する。
【００２０】
本発明では、前記圧縮機駆動周波数指示データ２３と、前記室内送風機回転数指示データ２４と、風の到達点での温度によって決まる室内熱交換器温度を前記データ表９としてマイクロコンピュータ１内部に持たせてあり、実測された前記室内熱交換器温度データ１２をマイクロコンピュータ１内部のデータ比較部１３で比較することにより、風の到達点での温度を類推するものである。
【００２１】
（実施の形態２）
図２は、本発明の第２の実施の形態における空気調和機の構成を示すブロック図である。なお、上記実施の形態と同一部分については同一符号を付してその説明を省略する。
【００２２】
マイクロコンピュータ１と、運転周波数可変の圧縮機２と、運転回転数可変の室内送風機３を備え、室内熱交換器温度を検出してその値を前記マイクロコンピュータ１に送出す
る室内熱交換器温度検知部５と、室内空気温度を検出してその値を前記マイクロコンピュータ１に送出する室内空気温度検知部１４が設けられ、前記マイクロコンピュータ１は、前記圧縮機周波数決定手段６と、室内送風機回転数決定手段７を持ち、予めプログラミングデータとして設定してあるデータ表９と、圧縮機駆動周波数指示データ２３と、室内空気温度検知部１４で得られたデータと、室内送風機回転数指示データ２４と、室内熱交換器温度データ１２とを対比し、必要能力および風の到達点での温度を類推する。
【００２３】
本発明では、前記圧縮機駆動周波数指示データ２３と、前記室内送風機回転数指示データ２４と、風の到達点での温度によって決まる室内熱交換器温度を前記データ表９としてマイクロコンピュータ１内部に持たせてあり、実測の前記室内熱交換器温度データ１２をマイクロコンピュータ１内部のデータ比較部１３で比較することにより、風の到達点での温度を類推するものである。またマイクロコンピュータ１の目標温度信号と室内空気温度により必要能力を類推するものである。
【００２４】
（実施の形態３）
図３は、本発明の第３の実施の形態における空気調和機の回路構成を示すブロック図である。なお、上記実施の形態と同一部分については同一符号を付してその説明を省略する。
【００２５】
本実施の形態における空気調和機は、マイクロコンピュータ１と、運転周波数可変の圧縮機２と、運転回転数可変の室内送風機３と、角度可変の室内上下羽根１５と、角度可変の室内左右羽根１６と、運転回転数可変の室内送風機３と、室内熱交換器温度を検出してその値を前記マイクロコンピュータ１に送出する室内熱交換器温度検知部５と、室内空気温度を検出してその値を前記マイクロコンピュータ１に送出する室内空気温度検知部１４とを備え、前記マイクロコンピュータ１は、圧縮機周波数決定手段６と、室内送風回転数決定手段７と、室内上下羽根角度決定手段１７と、前記室内左右羽根角度決定手段１８を有している。１７ｂは室内上下羽根１５を駆動する室内上下羽根駆動部で、１８ｂは、室内左右羽根１６を駆動する室内左右羽根駆動部である。
【００２６】
前記マイクロコンピュータ１において、予めプログラミングデータとして設定してあるデータ表９と、前記圧縮機駆動周波数指示データ２３と、室内空気温度検知部１４からのデータと、前記室内送風機回転数指示データ２４と、前記室内熱交換器温度データ１２と、室内上下羽根角度データ１７ａと、室内左右羽根角度データ１８ａとを対比し、風の到達点での温度を類推する。
【００２７】
本発明では、圧縮機駆動周波数指示データ２３と、前記室内送風機回転数指示データ２４と、風の到達点での温度によって決まる室内熱交換器温度を前記データ表９としてマイクロコンピュータ１内部に持たせてあり、実測の室内熱交換器温度データ１２をマイクロコンピュータ１内部のデータ比較部１３で比較することにより、風の到達点での温度を類推するものである。また、前記室内熱交換器温度データ１２と、前記室内上下羽根角度データ１７ａと、前記室内左右羽根角度データ１８ａにより決まる風の到達に必要な室内送風機回転数を前記データ表９としてマイクロコンピュータ１内部に持たせてあり、風向による必要最低限の室内送風機回転数を決定する事ができる。
【００２８】
そして、前記類推された風の到達点での温度と体感温度を比較する比較部１３を持ち、比較結果によって体感温度が良好となる温度にするのに必要な室内熱交換器温度から必要周波数を演算する演算部１９を持ち、演算結果により前記圧縮機運転周波数を変化させる事により、風の到達点での体感温度を常に一定とすることができる。また、前記類推された必要能力と、前記室内熱交換器温度と前記室内送風機回転数より出力能力を演算する演算部１９の演算結果を比較する比較部１３を持ち比較結果から前記室内送風機回転数を任
意に制御する事により、風の到達点での温度を保ちつつ必要最低限の能力を供給する事が可能となる。
【産業上の利用可能性】
【００２９】
以上のように、本発明に係る空気調和機は、専用の室内温度検知器を要さずとも、各種制御に一般的に使用される他の検知部からの検知情報に基づき、風の到達点での温度を類推する事ができるので、各種空気調和機に適用できる。
【図面の簡単な説明】
【００３０】
【図１】本発明の実施の形態１における空気調和機の回路構成を示すブロック図
【図２】本発明の実施の形態２における空気調和機の回路構成を示すブロック図
【図３】本発明の実施の形態３における空気調和機の回路構成を示すブロック図
【図４】従来の空気調和機の回路構成を示すブロック図
【符号の説明】
【００３１】
１    マイクロコンピュータ
２    圧縮機
３    室内送風機
５    室内熱交換器温度検知部
６    圧縮機周波数決定手段
７    室内送風回転数決定手段
９    データ表
１４    室内空気温度検知部
１５    室内上下羽根
１６    室内左右羽根
１７    室内上下羽根角度決定手段
１７ａ  室内上下羽根角度データ
１８    室内左右羽根角度決定手段
１８ａ  室内左右羽根角度データ
２３    圧縮機駆動周波数指示データ
２４    室内送風機回転数指示データ
【図１】
2005201585.tif 000003
【図２】
2005201585.tif 000004
【図３】
2005201585.tif 000005
【図４】
2005201585.tif 000006